(57)【要約】【課題】空気清浄機本体の前面の美観を損ねることなく、室内の空気汚れを高精度に検出することで、効率良く室内空気を清浄化できる空気清浄機を提供する。【解決手段】空気清浄機Ｍは、空気清浄機本体１０を回転させる本体回転手段４０と、空気清浄機本体１０の回転位置を検出する回転位置検出手段と、空気清浄機本体１０の側面８０に配置され、空気中に含まれる塵埃を検出する塵埃センサー１と、送風機回転数を制御する制御手段とを備える。本体回転手段４０は、少なくとも第一回転位置から第二回転位置までの範囲で空気清浄機本体１０を回転させることが可能である。第一回転位置のとき、空気清浄機本体１０の前面７０は、基準となる方向である正面方向に向く。第二回転位置のとき、塵埃センサー１の向きは、正面方向に最も近くなる。制御手段は、第二回転位置において塵埃センサー１により検出された塵埃量データに基づき、送風機回転数を制御する。【選択図】図１
2020193722.tif 000002
【特許請求の範囲】
【請求項１】
空気を吸引する吸引口と、前記吸引口から吸引した空気を清浄化する空気清浄手段と、前記空気清浄手段により清浄化された空気を吹き出す吹出口と、前記吸引口から前記吹出口へ空気を搬送する電動送風機とを有する空気清浄機本体と、
前記空気清浄機本体を回転させる本体回転手段と、
前記空気清浄機本体の回転位置を検出する回転位置検出手段と、
前記空気清浄機本体の側面に配置され、空気中に含まれる塵埃を検出する塵埃センサーと、
前記電動送風機の回転数である送風機回転数を制御する制御手段と、
を備え、
前記本体回転手段は、少なくとも第一回転位置から第二回転位置までの範囲で前記空気清浄機本体を回転させることが可能であり、
前記第一回転位置のとき、前記空気清浄機本体の前面は、基準となる方向である正面方向に向き、
前記第二回転位置のとき、前記塵埃センサーの向きは、前記正面方向に最も近くなり、
前記制御手段は、前記第二回転位置において前記塵埃センサーにより検出された塵埃量データに基づき、前記送風機回転数を制御する空気清浄機。
【請求項２】
前記制御手段は、前記第一回転位置において前記塵埃センサーにより検出された塵埃量データによらずに前記送風機回転数を制御する請求項１に記載の空気清浄機。
【請求項３】
前記制御手段は、前記第二回転位置を除く回転位置において前記塵埃センサーにより検出された塵埃量データによらずに前記送風機回転数を制御する請求項１または請求項２に記載の空気清浄機。
【発明の詳細な説明】
【技術分野】
【０００１】
本発明は、空気清浄機に関する。
【背景技術】
【０００２】
下記特許文献１に開示された従来の空気清浄機は、室内の空気の汚れを検出する塵埃センサーと、人の存在を検出する人体センサーを搭載し、人の存在が検出される場合には、人の存在が検出されない場合よりも塵埃センサーの単位時間あたりの検出回数を増加させるように構成されている。
【先行技術文献】
【特許文献】
【０００３】
【特許文献１】特開２０１４−２０２４２１号公報
【発明の概要】
【発明が解決しようとする課題】
【０００４】
特許文献１に記載の空気清浄機では、空気清浄機本体の側面部に塵埃センサーが取り付けられている。このような構成であると、人の影響で浮遊する塵埃が、空気清浄機天面部に設けられた吹出口から送風された風により、塵埃センサー付近に到達することができない。そのため、人が存在することを検出した場合に塵埃センサーの検出頻度を調整できる構成であっても、人の影響で浮遊する塵埃を含め、室内の空気汚れを高精度に検出することはできない。
【０００５】
一方、塵埃センサーを空気清浄機の前面に取り付けると、空気清浄機天面部の吹出口から前面方向に送風された風により、塵埃センサーに塵埃が到達する前に、塵埃が再浮遊してしまい、塵埃センサー付近に塵埃が到達することができない。さらに、空気清浄機の前面に塵埃センサーを取りつけることで、空気清浄機本体の前面の美観を損ねる。
【０００６】
本発明は、上述のような課題を解決するためになされたもので、空気清浄機本体の前面の美観を損ねることなく、室内の空気汚れを高精度に検出することで、効率良く室内空気を清浄化できる空気清浄機を提供することを目的とする。
【課題を解決するための手段】
【０００７】
本発明に係る空気清浄機は、空気を吸引する吸引口と、吸引口から吸引した空気を清浄化する空気清浄手段と、空気清浄手段により清浄化された空気を吹き出す吹出口と、吸引口から吹出口へ空気を搬送する電動送風機とを有する空気清浄機本体と、空気清浄機本体を回転させる本体回転手段と、空気清浄機本体の回転位置を検出する回転位置検出手段と、空気清浄機本体の側面に配置され、空気中に含まれる塵埃を検出する塵埃センサーと、電動送風機の回転数である送風機回転数を制御する制御手段と、を備え、本体回転手段は、少なくとも第一回転位置から第二回転位置までの範囲で空気清浄機本体を回転させることが可能であり、第一回転位置のとき、空気清浄機本体の前面は、基準となる方向である正面方向に向き、第二回転位置のとき、塵埃センサーの向きは、正面方向に最も近くなり、制御手段は、第二回転位置において塵埃センサーにより検出された塵埃量データに基づき、送風機回転数を制御するものである。
【発明の効果】
【０００８】
本発明によれば、空気清浄機本体の前面の美観を損ねることなく、室内の空気汚れを高精度に検出することで、効率良く室内空気を清浄化できる空気清浄機を提供することが可能となる。
【図面の簡単な説明】
【０００９】
【図１】実施の形態１による空気清浄機を示す斜視図である。
【図２】図１中のＡ−Ａ線で切断した断面側面図である。
【図３】実施の形態１による空気清浄機の機能ブロック図である。
【図４】オートターンユニットの斜視図である。
【図５】オートターンユニットの平面図と、当該平面図におけるＢ−Ｂ線で切断した断面図である。
【図６】オートターンユニットの分解斜視図である。
【図７】本体回転手段４０により空気清浄機本体１０が回転するときの動作を模式的に示す平面図である。
【図８】送風機回転数制御を実現する手段としてテーブルデータを用いた例を示す図である。
【発明を実施するための形態】
【００１０】
以下、図面を参照して実施の形態について説明する。各図において共通または対応する要素には、同一の符号を付して、重複する説明を簡略化または省略する。なお、本開示で角度に言及した場合において、和が３６０度となる優角と劣角とがあるときには原則として劣角の角度を指すものとし、和が１８０度となる鋭角と鈍角とがある場合には原則として鋭角の角度を指すものとする。
【００１１】
実施の形態１．
図１は、実施の形態１による空気清浄機を示す斜視図である。図２は、図１中のＡ−Ａ線で切断した断面側面図である。図３は、実施の形態１による空気清浄機の機能ブロック図である。
【００１２】
図１及び図２に示すように、本実施の形態の空気清浄機Ｍは、空気清浄機本体１０と、空気清浄機本体１０を回転させる本体回転手段４０とを備えている。空気清浄機本体１０には、空気を吸引する吸引口８２ａと、吸引口８２ａから吸引した空気を清浄化する空気清浄手段６０と、空気清浄手段６０により清浄化された空気を吹き出す吹出口５１ａと、吸引口８２ａから吹出口５１ａへ空気を搬送する電動送風機２０とが備えられている。
【００１３】
本実施の形態の空気清浄機Ｍは、室内の床面上に置いて使用するように構成されている。空気清浄機Ｍが置かれた空間において、基準となる方向として、「正面方向」を図１に示すように定義する。
【００１４】
空気清浄機本体１０の前面７０及び側面８０は、空気清浄機本体１０の外壁を形成している。図示の例では、空気清浄機本体１０は、実質的に直方体となる外形を有している。前面７０及び側面８０のそれぞれは、水平面に対して垂直な平面を形成している。前面７０及び側面８０は、互いに直交する。
【００１５】
空気清浄機本体１０の側面８０に塵埃センサー１が配置されている。塵埃センサー１は、空気中に含まれる塵埃を検出する。右の側面８０と、左の側面８０のうち、いずれか一方の側面８０に塵埃センサー１が配置されていればよい。図示の例では、空気清浄機本体１０の上端よりも下端に近い位置に塵埃センサー１が配置されている。
【００１６】
塵埃センサー１は、空気清浄機Ｍの周囲の空気に含まれる塵埃を検出する。塵埃センサー１は、例えば、空気清浄機Ｍの外部の空気を取り込む開口部と、塵埃センサー１内部のヒーターによる上昇気流により上記開口部から取り込まれた空気中の塵埃を光学的に検出する発光部及び受光部とを備えたものでもよい。また、上記開口部から空気を取り込む手段として電動送風機などを用いる構成でもよい。
【００１７】
電動送風機２０が回転すると、空気清浄機Ｍの周囲の、塵埃を含んだ空気が吸引口８２ａから空気清浄機本体１０内に吸引される。図１の例では、空気清浄機本体１０の両方の側面８０の前側の部分に吸引口８２ａが配置されている。このような例に限らず、空気清浄機本体１０の下部あるいは後部などに吸引口８２ａが配置される構成でもよい。
【００１８】
空気清浄手段６０は、吸引口８２ａから吸引された空気中の塵埃を捕集する。空気清浄手段６０は、例えばエアフィルターを備える。
【００１９】
空気清浄手段６０により浄化された清浄空気は、吹出口５１ａから、空気清浄機本体１０の外部へ吹き出される。図示の例では、吹出口５１ａは、空気清浄機本体１０の上部に設けられている。このような例に限らず、空気清浄機本体１０の背面あるいは下部などに吹出口５１ａが配置される構成でもよい。
【００２０】
本実施の形態の空気清浄機Ｍは、吹出口５１ａから吹き出される清浄空気の気流の向きを変えるルーバー５２を有している。吹出口５１ａから吹き出される清浄空気の気流は、前面７０の法線方向の速度成分を有している。このため、吹出口５１ａから吹き出される清浄空気は、空気清浄機本体１０の前面７０が向く方向へ流れる。
【００２１】
本体回転手段４０が空気清浄機本体１０を回転させると、前面７０が正面方向に対して右に向いたり左に向いたりする。これにより、吹出口５１ａから吹き出される清浄空気が流れる方向を、正面方向に対して右に向けたり左に向けたりすることができる。
【００２２】
図３に示すように、本実施の形態の空気清浄機Ｍは、制御部２と、空気清浄機本体１０の回転位置を検出する回転位置検出手段４５とを備える。制御部２は、空気清浄機Ｍの動作を制御する制御手段に相当する。制御部２は、塵埃センサー１により検出された塵埃量情報のデータを受信する。また、制御部２は、空気清浄機本体１０の回転位置を示す情報を回転位置検出手段４５から受信する。電動送風機２０は、制御部２から出力される回転指示信号に応じて回転動作する。本体回転手段４０は、制御部２から出力される回転指示信号に応じて回転動作する。
【００２３】
制御部２は、例えば、少なくとも一つのプロセッサ２ａと少なくとも一つのメモリ２ｂとを有する制御回路を備えたものでもよい。制御部２は、メモリ２ｂに記憶されたプログラムをプロセッサ２ａが実行することによって予め設定された処理を実行し、空気清浄機Ｍの動作を制御してもよい。
【００２４】
プロセッサ２ａは、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータあるいはＤＳＰともいう。メモリ２ｂには、例えば、ＲＡＭ、ＲＯＭ、フラッシュメモリー、ＥＰＲＯＭ及びＥＥＰＲＯＭ等の不揮発性または揮発性の半導体メモリ、または磁気ディスク、フレキシブルディスク、光ディスク、コンパクトディスク、ミニディスク及びＤＶＤ等が該当する。
【００２５】
なお、制御部２の制御回路は、例えば、専用のハードウェアとして形成されてもよい。制御部２の制御回路の一部が専用のハードウェアとして形成され、且つ、当該制御回路にプロセッサ２ａ及びメモリ２ｂが備えられていてもよい。一部が専用のハードウェアとして形成される制御回路には、例えば、単一回路、複合回路、プログラム化したプロセッサ、並列プログラム化したプロセッサ、ＡＳＩＣ、ＦＰＧＡ、またはこれらを組み合わせたものが該当する。
【００２６】
本実施の形態における本体回転手段４０は、図４、図５及び図６を参照して以下に説明するオートターンユニットで構成される。図４は、オートターンユニットの斜視図である。図５は、オートターンユニットの平面図と、当該平面図におけるＢ−Ｂ線で切断した断面図である。図６は、オートターンユニットの分解斜視図である。
【００２７】
これらの図に示すように、オートターンユニットは、ベース台４１と、空気清浄機本体１０と接続して底部となる底本体ケース４２と、底本体ケース４２が回転自在に軸支されるオートターン軸４３と、底本体ケース４２をベース台４１に対して回転させる回転駆動ユニット４４と、底本体ケース４２の回転位置を検出する回転位置検出手段４５と、摺動板４６と、摺動板押え４７と、ベース台側車輪４８と、本体側車輪４９とを有する。
【００２８】
ベース台４１は、空気清浄機Ｍの全体を支える底部となる部位である。ベース台４１は、矩形状の外形を有する。ベース台４１の内側に、円形に開口する凹部であるベース台凹部４１ａが形成されている。ベース台凹部４１ａの中央には、中心部分が開口した突出部である中心凸部４１ｂが形成されている。中心凸部４１ｂにオートターン軸４３が設けられる。
【００２９】
オートターン軸４３は、その中心に、上下を貫く貫通穴４３ａが形成されている。オートターン軸４３が中心凸部４１ｂに取り付けられた状態では、貫通穴４３ａの内部に中心凸部４１ｂが位置する。中心凸部４１ｂに貫通穴４３ａが嵌まり込むことにより、オートターン軸４３がベース台４１に取り付けられる。貫通穴４３ａと中心凸部４１ｂの開口は連通している。
【００３０】
ベース台凹部４１ａの底面から突出するように、仕切り４１３ａが設けられている。仕切り４１３ａは、ベース台凹部４１ａの中心を原点に描かれる円弧となる形状を有する。仕切り４１３ａには、等間隔に並ぶ３つのスリット４１４ａが形成されている。ベース台凹部４１ａの中心は、底本体ケース４２の回転中心となる。
【００３１】
仕切り４１３ａに対してオートターン軸４３を挟んで反対側のベース台凹部４１ａの開口縁には、開口縁に沿って扇状に広がるラックギア４１５ａが形成されている。ベース台凹部４１ａの周囲には、複数のベース台側車輪４８が設けられている。それぞれのベース台側車輪４８の回転軸を延長した直線は、ベース台凹部４１ａの中心にて交差する。
【００３２】
底本体ケース４２は、その中心に、軸受４２ａとなる開口を有する。底本体ケース４２は、ベース台凹部４１ａの内部に挿入可能な大きさのカップ形状の外形を有する。底本体ケース４２は、その上端から外方向に向かって伸びるフランジ４２ｂを有する。底本体ケース４２に、回転位置検出手段４５と、回転駆動ユニット４４と、摺動板４６と、本体側車輪４９とが設けられる。
【００３３】
本実施の形態における回転位置検出手段４５は、３つのフォトインタラプタを有する。各フォトインタラプタは、対向する発光部及び受光部を有し、発光部からの光を受光部で検出することができるセンサである。制御部２は、回転位置検出手段４５の３つのフォトインタラプタのそれぞれが光を検出したときの信号の組み合わせに基づき、空気清浄機本体１０の回転位置を判定する。
【００３４】
回転位置検出手段４５を構成する３つのフォトインタラプタのそれぞれは、底本体ケース４２の回転中心（軸受４２ａの開口中心）から、発光部及び受光部が対向する間隙の位置までの距離が等しくなるように、底本体ケース４２に形成されたフォトインタラプタ取り付け凹部４２ｄに設けられる。このフォトインタラプタ取り付け凹部４２ｄは、下方向に開口する凹部である。
【００３５】
底本体ケース４２の回転中心（軸受４２ａの開口中心）から、フォトインタラプタの発光部及び受光部が対向する間隙までの距離は、ベース台４１に設けられたオートターン軸４３の中心から仕切り４１３ａまでの距離に等しい。隣り合うフォトインタラプタの中心間の距離は、仕切り４１３ａに形成された隣り合うスリットの間隔に等しい。フォトインタラプタの発光部及び受光部が対向する間隙は、下方向に開口する。
【００３６】
回転駆動ユニット４４は、駆動源となるステッピングモータ４４ａと、ステッピングモータ４４ａの回転軸４４１ａに取り付けられるピニオンギア４４ｂと、ステッピングモータ４４ａの回転軸４４１ａを受ける軸受保持板４４ｃと、ステッピングモータ４４ａを下側から覆い保持するモータケース４４ｄとを有する。
【００３７】
このように構成される回転駆動ユニット４４は、回転軸４４１ａが下方向を向いた状態で、モータケース４４ｄと軸受保持板４４ｃに形成されたねじ穴を介して、底本体ケース４２の下側からねじ止めされる。このように回転駆動ユニット４４が取り付けられることで、ピニオンギア４４ｂが底本体ケース４２の下方に位置する構成となる。
【００３８】
摺動板４６は、円形の板の内側に摺動板開口４６ａが形成されたリング状の形状を有する。摺動板４６の上面には、フランジ４２ｂが入り込むフランジ凹部４６ｂが形成されている。摺動板４６は、摺動板開口４６ａに底本体ケース４２を通すと共に、フランジ凹部４６ｂにフランジ４２ｂが入り込んだ状態で、ねじなどにより底本体ケース４２に固定される。
【００３９】
本体側車輪４９は、底本体ケース４２の下面に形成された下方向に開口する凹部である車輪ハウジング４２ｃ内に、本体側車輪４９の一部が底本体ケース４２から下方に突出した状態で回転自在に取り付けられる。底本体ケース４２には本体側車輪４９が複数取り付けられる。それぞれの本体側車輪４９は、底本体ケース４２の回転中心（軸受４２ａの開口中心）から、同じ距離となるように配置されている。
【００４０】
以上のオートターンユニットの各部は、次のように組み立てられる。底本体ケース４２は、軸受４２ａが、ベース台４１に取り付けられたオートターン軸４３に回転自在に軸支されるように取り付けることで、ベース台４１に取り付けられる。
【００４１】
オートターン軸４３から軸受４２ａが外れないように、ストッパー４２ｅが取り付けられる。このストッパー４２ｅは、軸受４２ａの側面開口４２１ａからオートターン軸４３の側面に形成された溝部４３１ａに入り込み係合することで、底本体ケース４２が上方向に脱落することを防いでいる。摺動板４６の周縁を上方より抑える摺動板抑え４７をベース台４１に取り付けることで、底本体ケース４２側が回転する際のふらつきを抑えることができる。
【００４２】
ベース台４１に底本体ケース４２が取り付けられた状態において、本体側車輪４９はベース台４１に接して底本体ケース４２を支える。ベース台側車輪４８は、摺動板４６と接して底本体ケース４２を支える。これらの車輪は、ベース台４１に対して底本体ケース４２が回転する際に転動することで、両部材間の抵抗を減らし、スムーズに底本体ケース４２側が回転する。
【００４３】
このように底本体ケース４２が回転すると、空気清浄機本体１０が一体となって回転し、空気清浄機本体１０の向きが変わる。その際、回転位置検出手段４５であるフォトインタラプタは、底本体ケース４２と共に回転する。底本体ケース４２及び空気清浄機本体１０の回転位置に応じて、スリット４１４ａが発光部と受光部の間に位置し、発光部からの光を受光部が検出する。制御部２は、これらの個々のフォトインタラプタの受光部が検出した状態の組み合わせに基づき、底本体ケース４２及び空気清浄機本体１０の回転位置を判定する。
【００４４】
図７は、本体回転手段４０により空気清浄機本体１０が回転するときの動作を模式的に示す平面図である。図７において、矩形の外枠は、空気清浄機Ｍが内部に配置される部屋の４面の壁を示す。図７では、部屋の隅に空気清浄機本体１０が配置されている。
【００４５】
本体回転手段４０は、少なくとも第一回転位置と第二回転位置との間で空気清浄機本体１０を回転させることが可能である。第一回転位置は、図１及び図７（ａ）に示すように、空気清浄機本体１０の前面７０が正面方向に向く回転位置である。第一回転位置のとき、前面７０は、正面方向に対して垂直になる。第一回転位置のときには、図１に示すように、空気清浄機本体１０の下端の外周部がベース台４１の外周部の位置に一致した状態になる。
【００４６】
図７（ｃ）に示す第二回転位置のとき、塵埃センサー１の向きは、正面方向に最も近くなる。図７（ｂ）は、第一回転位置と第二回転位置との間の回転位置を示す。「塵埃センサー１の向き」とは、塵埃センサー１が配置された側面８０の法線の方向に相当する。図示の例では、第一回転位置から空気清浄機本体１０が右に９０度回転すると、第二回転位置となる。第二回転位置において、側面８０の法線は、正面方向に平行になる。このような例に限らず、第二回転位置のときに側面８０の法線が正面方向に対して完全に平行にならない構成でもよい。
【００４７】
本体回転手段４０は、少なくとも第一回転位置から第二回転位置までの範囲で空気清浄機本体１０を回転させることが可能であればよいが、当該範囲を超えて空気清浄機本体１０を回転可能でもよい。例えば、本体回転手段４０は、図７（ａ）に示す第一回転位置から空気清浄機本体１０を左に回転可能でもよい。
【００４８】
以下の説明では、電動送風機２０の回転数すなわち回転速度を「送風機回転数」と称する。制御部２は、空気清浄機本体１０の回転位置が第二回転位置であるときに塵埃センサー１により検出された塵埃量データに基づき、送風機回転数を制御する。空気清浄機本体１０の回転位置が第二回転位置であるときに塵埃センサー１により検出された塵埃量データを以下「正面塵埃量データ」と称する。第二回転位置では、塵埃センサー１の向きが正面方向に最も近くなる。このため、正面塵埃量データは、正面方向の空間の塵埃量を高精度に反映していると言える。
【００４９】
通常、使用者は、室内のうちで、空気を清浄化したい方向に空気清浄機Ｍの正面方向を向けて空気清浄機Ｍを設置する。したがって、正面方向の空間の塵埃量に応じて送風機回転数を制御することが合理的であると言える。本実施の形態であれば、正面塵埃量データに基づいて制御部２が送風機回転数を制御することにより、使用者が空気を清浄化したい方向である正面方向の室内の空気汚れを高精度に検出することで、効率良く室内空気を清浄化できる。また、空気清浄機本体１０の前面７０に塵埃センサー１を配置する必要がないので、空気清浄機本体１０の前面７０の美観及び意匠性を損ねることもない。
【００５０】
制御部２は、正面塵埃量データに基づき送風機回転数を制御するためのテーブルデータまたは制御式をメモリ２ｂに記憶している。そのテーブルデータまたは制御式は、塵埃量が多い時には送風機回転数を高く、塵埃量が少ない時には送風機回転数が低くなるように構成されている。図８は、このような送風機回転数制御を実現する手段としてテーブルデータを用いた例を示す図である。図８に示す例では、正面塵埃量データに基づき、レベル０からレベル３までの四段階に塵埃量を判別し、そのレベルに応じて送風機回転数を３５０ｒｐｍ、６００ｒｐｍ、９００ｒｐｍ、１２００ｒｐｍの四段階に調整する。
【００５１】
図７（ａ）に示すように、第一回転位置のときには、塵埃センサー１が配置された側面８０は、部屋の壁１００に近接している可能性がある。このため、第一回転位置のときには、空気を清浄化したい正面空間の塵埃量を塵埃センサー１が正確に検出することが困難である。例えば、正面空間の塵埃量が多量な状態であっても、壁１００の近くの塵埃量が少量な状態である可能性がある。そのような場合に、第一回転位置において塵埃センサー１により検出された塵埃量データを用いて送風機回転数を制御すると、正面空間の塵埃量が多いにもかかわらず送風機回転数が低く運転されるので、正面空間に対して十分な空気清浄効果を得ることができない。逆に、正面空間の塵埃量が少量であり、かつ壁１００の近くの塵埃量が多量な状態である場合に、第一回転位置において塵埃センサー１により検出された塵埃量データを用いて送風機回転数を制御すると、不必要に高い送風機回転数で運転することとなり、必要以上の騒音及び電力消費が発生する。これに対し、本実施の形態であれば、制御部２は、空気清浄機本体１０の回転位置が第一回転位置であるときに塵埃センサー１により検出された塵埃量データによらずに送風機回転数を制御する。これにより、空気を清浄化したい正面空間の塵埃量に適した送風機回転数で空気清浄機Ｍを運転することが可能となり、必要以上の騒音及び電力消費をすることなく、効率良く空気清浄を行うことができる。
【００５２】
また、制御部２は、第二回転位置を除く回転位置において塵埃センサー１により検出された塵埃量データによらずに送風機回転数を制御することが望ましい。これにより、さらに効率良く室内空気を清浄化できる。
【産業上の利用可能性】
【００５３】
本発明は、家庭用の空気清浄機だけでなく、車載用の空気清浄機、業務用の空気清浄機などの製品にも適用可能であり、これらの製品においても使用者の快適性を向上できる。
【符号の説明】
【００５４】
１  塵埃センサー、  ２  制御部、  ２ａ  プロセッサ、  ２ｂ  メモリ、  １０  空気清浄機本体、  ２０  電動送風機、  ４０  本体回転手段、  ４１  ベース台、  ４１ａ  ベース台凹部、  ４１ｂ  中心凸部、  ４２  底本体ケース、  ４２ａ  軸受、  ４２ｂ  フランジ、  ４２ｃ  車輪ハウジング、  ４２ｄ  フォトインタラプタ取り付け凹部、  ４２ｅ  ストッパー、  ４３  オートターン軸、  ４３ａ  貫通穴、  ４４  回転駆動ユニット、  ４４ａ  ステッピングモータ、  ４４ｂ  ピニオンギア、  ４４ｃ  軸受保持板、  ４４ｄ  モータケース、  ４５  回転位置検出手段、  ４６  摺動板、  ４６ａ  摺動板開口、  ４６ｂ  フランジ凹部、  ４８  ベース台側車輪、  ４９  本体側車輪、  ５１ａ  吹出口、  ５２  ルーバー、  ６０  空気清浄手段、  ７０  前面、  ８０  側面、  ８２ａ  吸引口、  １００  壁、  ４１３ａ  仕切り、  ４１４ａ  スリット、  ４１５ａ  ラックギア、  ４２１ａ  側面開口、  ４３１ａ  溝部、  ４４１ａ  回転軸、  Ｍ  空気清浄機
【図１】
2020193722.tif 000003
【図２】
2020193722.tif 000004
【図３】
2020193722.tif 000005
【図４】
2020193722.tif 000006
【図５】
2020193722.tif 000007
【図６】
2020193722.tif 000008
【図７】
2020193722.tif 000009
【図８】
2020193722.tif 000010